(57)【要約】【課題】幅が狭くコンパクトな物品収容装置を提供する。【解決手段】一枚のトレー上１１に、物品収容用の凹部１３を複数個列状に配置した列状収容部１４、１５、１６、１７を２列以上の偶数列だけ形成するとともに、互いに隣接する前記列状収容部間１４、１５、１６、１７に折曲げ線部２０、２１、２２を形成した。【選択図】　図１
2004010152.tif 000002
【特許請求の範囲】
【請求項１】
一枚のトレー上に、物品収容用の凹部を複数個列状に配置した列状収容部を２列以上の偶数列だけ形成するとともに、互いに隣接する前記列状収容部間に折曲げ線部を形成し、
前記偶数列の列状収容部のうち所定の列状収容部内に物品を配置した後、前記折曲げ線部部に沿って前トレーを折り曲げることにより前記物品を前記列状収容部内に収容するようにしたことを特徴とする物品収容装置。
【請求項２】
前記列状収容部の表面には互いに対峙する列状収容部間を嵌着係合させるための嵌着係合用の凹部と突部とが形成されていることを特徴とする請求項１に記載の物品収容装置。
【発明の詳細な説明】
【０００１】
【発明の属する技術分野】
この発明は、物品の輸送・搬送時等に発生する振動あるいは衝撃から当該物品を有効に保護する物品収容装置に関し、特に保護対象の物品としてハードディスクのスピンドルモータ等の小型電子機器を収容する物品収容装置に関する。
【０００２】
【従来技術】
従来から、物品の輸送・搬送時に加わる振動あるいは衝撃から当該物品を保護するため、物品を収容する複数の凹部が列状に形成された第１のトレーと、この第１のトレーを覆うとともに、収容された物品を覆う複数の凹部が列状に形成された第２のトレーとを有する物品収容装置が使用されている。
【０００３】
図１３は上述した従来の物品収容装置１を示す概念斜視図で、特に対象物品としてハードディスクのスピンドルモータ２を収容する物品収容装置１を示している。
【０００４】
この物品収容装置１の第１のトレー３には、上述したスピンドルモータ２の下部を覆う複数の凹部３ａが、その長手方向に沿い列状となって２列に形成されている。
【０００５】
そして、このような物品収容装置１では、その２列に並設形成された各凹部３ａ内にそれぞれスピンドルモータ２の下部を位置決め収容した後、図１４の矢印Ａで示すように、第１のトレー３を別体の第２のトレー４で覆うようにする。
【０００６】
すると、第１のトレー３内に収容された各スピンドルモータ２が第１のトレー３の凹部３ａと第２のトレー４の各凹部４ａとの間に収容されることとなる。
【０００７】
なお、上述した第２のトレー４の各凹部４ａも前記複数の凹部３ａと同様に第２のトレー４の長手方向に沿って列状に並設形成されている。
【０００８】
なお、図１４で示すように、単に第１のトレー３を第２のトレー４で覆うだけでは、互いのトレー３、４が分離し易く、その間からスピンドルモータ２が脱落する虞があるので、通常は図１５で示すように、物品収容装置１の長手方向に沿い所定のピッチで第１のトレー３と第２のトレー４とを複数本の帯体５でそれぞれ互いに分離せぬよう締結する。
【０００９】
すると、物品収容装置１の概念側面図で示す図１６のように、スピンドルモータ２が第１のトレー３と第２のトレー４との間に２列に収容される。
【００１０】
【発明が解決しようとする課題】
ところで、上述した従来の物品収容装置１では、第１のトレー３と第２のトレー４との間の水平方向に沿って２列に収容されたスピンドルモータ２を、別の箱体等の内部に収容するが、その際、図１６の概念側面図で示すように物品収容装置１は、物品を水平方向に沿って列状に配置するので、その幅Ｌが大きく、このため別の箱体に収容する場合にコンパクト性が欠けて大量の物品収容装置１を別の箱体内に収容することができない難点があった。
【００１１】
また第１のトレー３と第２のトレー４との間の分離を防止するため、その間を複数本の帯体５で締結しなければならないから、その作業が煩雑である難点もある。
【００１２】
この発明は、上述した事情に鑑み、幅が狭くコンパクトな物品収容装置を提供することを目的とする。
【００１３】
【課題を解決するための手段】
上述した課題を解決するため、この発明の物品収容装置では、一枚のトレー上に、物品収容用の凹部を複数個列状に配置した列状収容部を２列以上の偶数列だけ形成するとともに、互いに隣接する前記列状収容部間に折曲げ線部を形成し、前記偶数列の列状収容部のうち所定の列状収容部内に物品を配置した後、前記折曲げ線部に沿って前トレーを折曲げることにより前記物品を前記列状収容部内に収容するようにしている。
【００１４】
【発明の実施の形態】
以下、この発明に係る物品収容装置の一実施例を詳述する。
【００１５】
図１はこの発明に係わる物品収容装置１０の概念斜視図である。
【００１６】
この物品収容装置１０はプラスチック等の合成樹脂により形成された一枚のトレー１１からなり、その表面には物品の形状に対応した形状を有する凹部１３を複数個列状に形成した列状収容凹部１４、１５、１６、１７が４列、即ち２列以上の偶数列だけ形成されている。
【００１７】
また互いに隣接する前記列状収容凹部１４と列状収容凹部１５との間、列状収容凹部１５と列状収容凹部１６との間、および列状収容凹部１６と列状収容凹部１７との間には、それぞれ薄板状の折曲げ線部２０、２１、２２が形成されている。
【００１８】
なお、実施例では図２に示す一枚のトレー１１の背面図で示すように、物品を収容した後、互いに表面が当接する列状収容凹部１４と列状収容凹部１７の表面には互いに係合する突部ａと凹部ｂとが複数個列状に形成されている。
【００１９】
次に上述した物品収容装置１０の作用を説明する。
【００２０】
まず、図３に示すように、収容対象の物品であるハードディスクのスピンドルモータ２を、一枚のトレー１１の中央に形成された列状収容凹部１５、１６の各凹部１３内に位置決め収容する。
【００２１】
次に、図３の各矢印Ｂ、Ｃで示すように、列状収容凹部１５に隣接する折曲げ線部２０に沿って、物品が収容されてない列状収容凹部１４をスピンドルモータ２が収容された列状収容凹部１５側に折り曲げ、さらに列状収容凹部１６に隣接する折曲げ線部２２に沿って、物品が収容されてない列状収容凹部１７をスピンドルモータ２が収容された列状収容凹部１６側に折り曲げる。
【００２２】
すると、図４で示すように、列状収容凹部１５に収容されたスピンドルモータ２（図３）が列状収容凹部１４に覆われ、また列状収容凹部１６に収容されたスピンドルモータ２（図３）が列状収容凹部１７に覆われることとなる。
【００２３】
なお、この図４に示す時点で、列状収容凹部１４の表面に形成された突部ａ及び凹部ｂと列状収容凹部１７の表面に形成された突部ａ及び凹部ｂとがそれぞれ対峙することとなる。
【００２４】
そして、次に図４に示す状態から、最後の折曲げ線部２１に沿って列状収容凹部１４と列状収容凹部１７とを矢印Ｄ、Ｅに示すように折曲げると、列状収容凹部１４の表面に形成された突部ａ及び凹部ｂと列状収容凹部１７の表面に形成された突部ａ及び凹部ｂとがそれぞれ嵌着係合し、これにより図５で示すように、列状収容凹部１４の表面と列状収容凹部１７の表面とが互いに密着し面接触することとなる。
【００２５】
このため、例えば図６の斜視図で示すように、一本の帯体５で列状収容凹部１４の表面と列状収容凹部１７の表面とをそれぞれ互いに分離せぬよう締結する簡単な作業でで、列状収容凹部１４と列状収容凹部１７とが各折曲げ線部２０、２２を中心に回転し、物品収容装置１０が解放されることを防ぐことができる。
【００２６】
このような物品収容装置１０によると、その側面図で示す図７のように、その幅Ｌ´が従来の物品収容装置１の幅Ｌよりも極めて小さく（Ｌ´＜＜Ｌ）しかもその全体形状をコンパクトにすることができる。
【００２７】
なお、上記実施例では、物品であるスピンドルモータ２を二列に並設収容する物品収容装置１０について詳述したが、この発明は上記実施例に限定されること無く例えば、物品であるスピンドルモータ２を３列に並設収容するものにも適用することができる。
【００２８】
図８は、この発明に係わる物品収容装置１０の他の実施例を詳述する概念斜視図で、図１と同一部分を同一符号で示す。
【００２９】
この物品収容装置１０も一枚のトレー３０からなり、その表面には物品の形状に対応した形状を有する凹部１３を複数個列状に形成した列状収容凹部３１、３２、３３、３４、３５、３６が６列、即ち２列以上であって、しかも偶数列形成されている。
【００３０】
また互いに隣接する列状収容凹部３１と列状収容凹部３２との間、列状収容凹部３２と列状収容凹部３３との間、列状収容凹部３３と列状収容凹部３４との間、列状収容凹部３４と列状収容凹部３５との間、列状収容凹部３５と列状収容凹部３６との間には、それぞれ薄板状の折曲げ線部４０、４２、４２、４３、４４が形成されている。
【００３１】
こような一枚のトレー３０のに形成された列状収容凹部３１、３２、３３、３４、３５、３６のうち、その中央部に形成された３列の列状収容凹部３３、３４、３５の各凹部１３内に、収容対象の物品であるハードディスクのスピンドルモータ２を位置決め収容する。
【００３２】
次に、各矢印Ｆ、Ｇで示すように、列状収容凹部３３に隣接する折曲げ線部４１に沿って、物品が収容されてない列状収容凹部３１と列状収容凹部３２の２列の列状収容凹部をスピンドルモータ２が収容された２列の列状収容凹部３３、３４側に折り曲げ、さらに列状収容凹部３５に隣接する折曲げ線部４４に沿って、物品が収容されてない列状収容凹部３６をスピンドルモータ２が収容された列状収容凹部３５側に折り曲げる。
【００３３】
すると、図９で示すように、２列の列状収容凹部３３、３４に収容されたスピンドルモータ２（図８）が２列の列状収容凹部３１、３２に覆われ、また列状収容凹部３５に収容されたスピンドルモータ２（図８）が列状収容凹部３６に覆われることとなる。
【００３４】
なお、この図９に示す時点で、列状収容凹部３１の表面両側にそれぞれ形成された突部ａ及び凹部ｂのうち、列状収容凹部３２側に形成された列状収容凹部３１の突部ａ及び凹部ｂが列状収容凹部３２の表面に形成された突部ａ及び凹部ｂと対峙し、また列状収容凹部３６側に形成された列状収容凹部３１の突部ａ及び凹部ｂが列状収容凹部３６の表面に形成された突部ａ及び凹部ｂとにそれぞれ対峙することとなる。
【００３５】
そして、次に図９に示す状態から、重なっている折曲げ線部４０、４２と、折曲げ線部４３に沿って列状収容凹部３６と列状収容凹部３２とを矢印Ｈ、Ｉに示すように折曲げると、列状収容凹部３１の一側面に形成された突部ａ及び凹部ｂと列状収容凹部３２の表面に形成された突部ａ及び凹部ｂとがそれぞれ嵌着係合し、さらに列状収容凹部３１の他側面に形成された突部ａ及び凹部ｂと列状収容凹部３６の表面に形成された突部ａ及び凹部ｂとがそれぞれ嵌着係合する。
【００３６】
すると図１０で示すように、列状収容凹部３１の表面と列状収容凹部３６及び列状収容凹部３２の各表面とが互いに密着し面接触することとなる。
【００３７】
このため、例えば図１１の斜視図で示すように、一本の帯体５で列状収容凹部３１に表面に面接触する列状収容凹部３２、３６とをそれぞれ互いに分離せぬよう締結するだけで、列状収容凹部３６と列状収容凹部３２とが各折曲げ線部４０、４２、４３を中心に回転し、物品収容装置１０が解放されることを防ぐことができることとなる。
【００３８】
このような物品収容装置１０によると、その概念側面図で示す図１２のように、その幅Ｌ１´が、物品を３列水平に並べるタイプの従来の物品収容装置１の幅Ｌ１よりも極めて小さく（Ｌ１´＜＜Ｌ１）しかもコンパクトにすることができる。　なお、上記各実施例では列状収容凹部を４列、６列に形成したものについて詳述したが、この発明は上記実施例に限定されることなく、それ以上の数であってもよく、要は一枚のプレートに、列状収容凹部を２列以上であって、しかも偶数列形成するようにすれば良い。
【００３９】
なお、上記実施例では物品としてスピンドルモータを例にして述べたが、勿論物品も上記実施例に限定されることなく小型電子機器等であればいかなる物品でも良い。
【００４０】
【発明の効果】
以上説明したように、この発明の物品収容装置では、一枚のトレー上に、物品収容用の凹部を複数個列状に配置した列状収容部を２列以上の偶数列だけ形成するとともに、互いに隣接する列状収容部間に折り曲げ線部を形成し、この折り曲げ線部に沿って一枚のトレーを折り曲げることにより物品を列状収容部内に収容するようにしたから、物品収容装置の全体幅が狭くなり全体形状がコンパクトとなるとともに、一本の帯体で装置全体を締結するだけで、物品収容装置の解放を防ぐことができ、このため箱体等に収容する場合の収容効率が向上するだけでなく、物品の収容作業が極めて簡単になる。
【図面の簡単な説明】
【図１】図１は、この発明に係る物品収容装置の概念斜視図。
【図２】図２は、この発明に係る物品収容装置の背面斜視図。
【図３】図３は、この発明に係る物品収容装置の物品収容手順を示す斜視図。
【図４】図４は、この発明に係る物品収容装置の物品収容手順を示す斜視図。
【図５】図５は、この発明に係る物品収容装置の物品収容手順を示す斜視図。
【図６】図６は、この発明に係る物品収容装置の物品収容手順を示す斜視図。
【図７】図７は、この発明に係る物品収容装置の概念側面図。
【図８】図８は、この発明に係る物品収容装置の他の実施例を示す概念斜視図。
【図９】図９は、この発明に係る物品収容装置の他の実施例の物品収容手順を示す斜視図。
【図１０】図１０は、この発明に係る物品収容装置の他の実施例の物品収容手順を示す斜視図。
【図１１】図１１は、この発明に係る物品収容装置の他の実施例の物品収容手順を示す斜視図。
【図１２】図１２は、この発明に係る物品収容装置の他の実施例の概念側面図。
【図１３】図１３は、従来の物品収容装置の概念斜視図。
【図１４】図１４は、従来の物品収容装置の物品収容手順を示す斜視図。
【図１５】図１５は、従来の物品収容装置の物品収容手順を示す斜視図。
【図１６】図１６は、従来の物品収容装置の概念側面図。
【符号の説明】
１１、３０…一枚のトレー
１３…物品収容用の凹部
１４〜１７、３１〜３６…列状収容部
２０〜２２、４０〜４４…折曲げ線部
ａ…嵌着係合用の凹部
ｂ…嵌着係合用の突部
【図１】
2004010152.tif 000003
【図２】
2004010152.tif 000004
【図３】
2004010152.tif 000005
【図４】
2004010152.tif 000006
【図５】
2004010152.tif 000007
【図６】
2004010152.tif 000008
【図７】
2004010152.tif 000009
【図８】
2004010152.tif 000010
【図９】
2004010152.tif 000011
【図１０】
2004010152.tif 000012
【図１１】
2004010152.tif 000013
【図１２】
2004010152.tif 000014
【図１３】
2004010152.tif 000015
【図１４】
2004010152.tif 000016
【図１５】
2004010152.tif 000017
【図１６】
2004010152.tif 000018
【手続補正書】
【提出日】平成14年6月19日(2002.6.19)
【手続補正１】
【補正対象書類名】図面
【補正対象項目名】全図
【補正方法】変更
【補正の内容】
【図１】
2004010152.tif 000019
【図２】
2004010152.tif 000020
【図３】
2004010152.tif 000021
【図４】
2004010152.tif 000022
【図５】
2004010152.tif 000023
【図６】
2004010152.tif 000024
【図７】
2004010152.tif 000025
【図８】
2004010152.tif 000026
【図９】
2004010152.tif 000027
【図１０】
2004010152.tif 000028
【図１１】
2004010152.tif 000029
【図１２】
2004010152.tif 000030
【図１３】
2004010152.tif 000031
【図１４】
2004010152.tif 000032
【図１５】
2004010152.tif 000033
【図１６】
2004010152.tif 000034